(57)【要約】【課題】  サイフォンの原理による排水を行う場合において、排水口から大きな音の発生を防止すること。【解決手段】サイフォンの原理による排水を行う排水構造において、水溜部１と、排水口２と、排水管３と、浮子４とを有し、浮子４は、水溜部１内の水位が低いときには排水口２を塞ぎ、水溜部１内の水位が高くなると該浮子が受ける浮力により排水管３への吸引力に抗して、排水口２から離間することを特徴とする。【選択図】図１
2005264652.tif 000002
【特許請求の範囲】
【請求項１】
サイフォンの原理による排水を行う排水構造において、
排水が溜まる水溜部と、
前記水溜部に配設される排水口と、
前記排水口に連通し水を排出するための排水管と、
前記水溜部内に配置される浮子とを有し、
前記浮子は、前記水溜部内の水位が低いときには前記排水口を塞ぎ、前記水溜部内の水位が高くなると該浮子が受ける浮力により前記排水管への吸引力に抗して、前記排水口から離間することを特徴とする排水構造。
【請求項２】
請求項１に記載の排水構造であって、
前記排水口周辺部には、水を通さない弾性部材により形成される浮子受が配設されることを特徴とする排水構造。
【請求項３】
請求項１又は２に記載の排水構造であって、
前記浮子は、前記水溜部と前記排水管とを連通するための通気管を有し、
前記通気管の上端は、前記水溜部の上部よりも高い位置にあることを特徴とする排水構造。
【請求項４】
請求項１乃至３のいずれかに記載の排水構造であって、
前記浮子は、上下方向にのみ平行移動可能に構成したことを特徴とする排水構造。
【請求項５】
請求項３又は４に記載の排水構造であって、
前記通気管の上端は、
前記浮子が前記排水口を塞ぐときには開口し、
前記浮子が前記排水口から離間するときには閉口することを特徴とする排水構造。
【発明の詳細な説明】
【技術分野】
【０００１】
本発明は、排水構造に係り、特にサイフォンの原理により排水を行う際の排水構造に関するものである。
【背景技術】
【０００２】
サイフォンの原理を利用した排水構造が提案されている（例えば、特許文献１）。特許文献１においては、樋に落し口を設け、サイフォン作用によって排水の流量を増大させる構造としている。
【０００３】
サイフォンの原理とは、液体が管内を略満水状態で落下する際に、該液体の上流側に吸引作用を生じさせる原理のことをいう。このため、サイフォンの原理を利用した排水構造においては、上流側の液体を吸引する作用により円滑に液体を排出することができ、かつ排水管の口径の小型化や、排水管の数の削減を実現することができる。
【０００４】
一方、特許文献２のように、浮上閉塞部材を排水口に配設する排水構造がある。この浮上閉塞部材は、水のない平常時には排水口を閉塞し、浮上閉塞部材の周囲に水が溜まった時には当該部材の浮力により浮上して排水口を開口するものである。これにより、平常時には排水口には異物が侵入せず、排水口の目詰まりを防止することができる。
【０００５】
【特許文献１】特開平９−１１１９７２
【特許文献２】特開昭５５−５５７５８
【発明の開示】
【発明が解決しようとする課題】
【０００６】
特許文献１のような排水構造において、排水口から連通している排水管を略満水状態にするほどの排水が行われたとき、サイフォンの原理による排水が行われる。すると、排水口には下流への強い吸引力が働いて、排水口周辺の水が吸引され、円滑な排水が行われる。このとき、排水口周辺に十分に水がある場合には、水のみが排水口から吸引されるため、排水管の水は整って流れ、排水口から大きな音が発生することはない。
【０００７】
しかしながら、排水口周辺に十分に水がない場合には、排水口からは強い吸引力で水と共に周辺の空気も吸引されてしまう。水が排水口から空気混じりの状態で排水管内部に強く吸引されると、水は排水管内で大きく流れを乱し、排水口からは大きな音が発生することとなる。
【０００８】
ところで、特許文献２のように、浮上閉塞部材を排水口に配設する構造を、サイフォンの原理による排水構造に適用した場合には、排水口周辺に十分な水がなくなると、浮上閉塞部材が降下して排水口を塞ぐ。このため、排水と共に空気が吸引されることはなく、排水口から大きな音が発生することはない。しかし、一旦、前述の吸引力によって浮上閉塞部材が強く排水口に引き付けられると、再び排水口周辺に水が溜まってきても、浮上して排水口を開口することができなくなるおそれがあった。
【０００９】
そこで本発明は、サイフォンの原理による排水を行う場合においても、排水機能を損なわずに排水口から大きな音の発生を防止することを目的とする。
【課題を解決するための手段】
【００１０】
前記目的を達成するための本発明の第１の構成は、サイフォンの原理による排水を行う排水構造において、排水が溜まる水溜部と、前記水溜部に配設される排水口と、前記排水口に連通し水を排出するための排水管と、前記水溜部内に配置される浮子とを有し、前記浮子は、前記水溜部内の水位が低いときには前記排水口を塞ぎ、前記水溜部内の水位が高くなると該浮子が受ける浮力により前記排水管への吸引力に抗して、前記排水口から離間することを特徴とする。
【００１１】
本発明の第２の構成は、第１の構成に記載の排水構造であって、前記排水口周辺部には、水を通さない弾性部材により形成される浮子受が配設されることを特徴とする。
【００１２】
本発明の第３の構成は、第１又は２の構成に記載の排水構造であって、前記浮子は、前記水溜部と前記排水管とを連通するための通気管を有し、前記通気管の上端は、前記水溜部の上部よりも高い位置にあることを特徴とする。
【００１３】
本発明の第４の構成は、第１乃至３のいずれかの構成に記載の排水構造であって、前記浮子は、上下方向にのみ平行移動可能に構成したことを特徴とする。
【００１４】
本発明の第５の構成は、第３又は４の構成に記載の排水構造であって、前記通気管の上端は、前記浮子が前記排水口を塞ぐときには開口し、前記浮子が前記排水口から離間するときには閉口することを特徴とする。
【発明の効果】
【００１５】
本発明の第１の構成によれば、前記水溜部の水位が低いときには、前記浮子がサイフォンの原理により前記排水管方向に生ずる強い吸引力によって吸引されて前記浮子が前記排水口を塞ぐことにより、排水口へは水及び空気が入らない。一方、水位が高くなると、前記浮子には前記吸引力に上回る浮力が働き、前記浮子は前記排水口から離間するが、このときは水のみが排水口へ流れ込むことになる。このため、排水口へ空気混じりの状態で水が流れ込むことがない。この結果、前記排水口から大きな音が発生することを防止することができる。
【００１６】
本発明の第２の構成によれば、前記排水口周辺部の前記浮子受が弾性部材で構成される。前記浮子は、サイフォンの原理により前記排水管方向に生ずる強い吸引力によって吸引されるが、本構成により、前記排水口を塞ぐ際に前記排水口周辺の弾性部材を介して当接することになる。このため、前記浮子が前記排水口を塞ぐ際に大きな衝突音が発生することを防止することができる。また、前記浮子受は水を通さない部材によって構成されるため、前記浮子が前記排水口を塞ぐときには水が該排水口に入り込むことはなく、排水口へ空気混じりの状態で水が流れ込むことがない。
【００１７】
本発明の第３の構成によれば、前記通気管の上端を前記水溜部の上部よりも高い位置にすることで、前記浮子が前記排水口を塞ぐときにも、前記水溜部の水が前記通気管に入り込むことはない。このため、前記通気管は確実に通気をする機能を発揮する。なお、ここで言う水溜部の上部とは、排水の流出入のバランスで決まる水位の最高位であって、必ずしも形状的な特定の部位を指すものではない。
【００１８】
従って、排水口周辺の水位が下がると、前記浮子が吸い寄せられて前記排水口を塞いで排水を一時中断するときには、前記通気管から大気のみが排水管内へ供給される。これにより、サイフォン作用による前記浮子への吸引力を確実に解消することができる。該吸引力は、第１又は第２の構成においては、前記排水管の高さや前記浮子が塞ぐ排水口の径等の設計事項に左右されるものである。しかしながら、第３の構成により前記吸引力を解消することで、前記浮子に浮力が働けば、容易に前記排水口から離間することができ、前記設計事項を自由に設定することができる。
【００１９】
本発明の第４の構成によれば、前記浮子が、上下方向のみ平行移動可能になるため、前前記通気管を立設させた状態で、前記浮子が確実に前記排水口を塞ぎ、また前記浮子に立設される通気管の下端は前記排水管と確実に連通する。このため、前記浮子は、水溜部の水位が低下したときには確実に排水口を塞ぎ、また前記通気管は確実に空気を排水管内へ導入するという機能を発揮する。
【００２０】
本発明の第５の構成によれば、前記通気管の上端は、前記浮子が前記排水口から離間しているときには閉口する。従って、排水の水位が低下してサイフォンによる吸引力が前記浮子の下部に及んだときにも、前記通気管には該吸引力を弱める空気の流入が全くない。このため前記通気管の管径がたとえ大きいものであったとしても、前記通気管を経由して多量の空気が浮子の下部へ供給されるという問題がなく、前記浮子は確実に前記排水口へ引き寄せられて前記排水口を塞ぐことができる。
【００２１】
また、本構成によれば、前記浮子が前記排水口から離間するときには、前記排水管に水は流入するが、前記通気管の上端が閉口しているので空気は流入しない。一方、前記浮子が前記排水口を塞ぐときには、前記排水管に水は流入しないが、前記通気管の上端が開口しているので空気は流入する。このように、水又は空気のうちいずれか一方のみを選択的に前記排水口へ流入させることができ、前記排水口へ空気混じりの状態で水が流れ込むことを確実に防止することができる。このため、前記排水口から大きな音が発生することを防止することができる。
【００２２】
以上のように、本発明によれば、サイフォンの原理による排水を行う場合において、排水口からの大きな音の発生を防止することができる。
【発明を実施するための最良の形態】
【００２３】
〔実施例１〕
図を用いて実施例１の排水構造を説明する。図１は、実施例１に係る排水構造の説明図である。
【００２４】
図１に示すように、本実施例の排水構造は、サイフォンの原理による排水を行うように構成される排水構造において、排水が溜まる水溜部１と、水溜部１に配設される排水口２と、排水口２に連通し水を排出するための排水管３と、水溜部１内に配置される浮子４とを有する。
【００２５】
水溜部１は、浴槽や雨樋等の排水設備の下部に配設される。水溜部１の高さは、付設される排水管３の逆勾配に溜まる排水を下流方向に押し出してサイフォンの原理による排水を行わせるために、少なくとも排水管３の逆勾配の総和よりも高い高さを有する。
【００２６】
水溜部１には、排水口２が排水管３と連通して配設される。排水管３は、サイフォンの原理による排水を行うために、満水状態になりやすい状態にしておくことが好ましい。このため、排水管３には、細い径（φ５０以下で好ましくはφ１０〜φ２５）の連続した配管を使用することが好ましい。
【００２７】
浮子４は、中空の樹脂等により構成され、水溜部１の内部に配置され、水溜部１へ溜まった水の水位に応じて浮き沈みする。浮子４の形状は、本実施例においては、図１のような球形とすることで、排水口２と嵌合する構成とした。しかしながら、これに限るものではなく、例えば、円柱形状等の底面が平らな形状に構成して排水口周辺に当接することで、排水口を略密閉するように塞ぐ構成であってもよい。
【００２８】
水溜部１内の水位が低いときには、浮子４には十分な浮力が働かず、自重及びサイフォンの原理により排水管３へ生じる吸引力が働く。このため、図１のように、浮子４が排水口２に当接することにより排水口２を塞ぐ。すると、排水口２へは水も空気も流入しない。したがって、浮子４が排水口２を塞いでいるときには、排水口２へ空気混じりの状態で水が流れ込むことはなく、排水口２からは音が発生しない。
【００２９】
水溜部１内の水位が高くなって、浮子４への水圧が大きくなると、浮力も大きいものとなる。ここで、浮子４の自重とサイフォンの原理により排水管３へ生じる吸引力との総和よりも前記浮力が大きくなった場合には、浮子４は浮力により水溜部１内の水中に浮いて排水口２から離間する。このとき、水溜部１内へは浮子４を浮かすほどの水量があるため、排水口２には水のみが流入する。即ち、排水口２へ空気混じりの状態で水が流れ込むことはなく、排水口２から発生する音を軽減することができる。
【００３０】
浮子４の設計について、具体的に説明する。前述のように浮子４が排水管３への吸引力に抗して浮力により浮き上がるためには、浮子４の浮力をＦｂ（Ｎ）、排水管３による吸引力をＦｓ（Ｎ）、浮子４に働く重力をＦｇ（Ｎ）とすると、Ｆｂ＞Ｆｓ＋Ｆｇ（Ｎ）の関係を満たす必要がある。ここで、各々の力は次のように表すことができる。
【００３１】
浮子４の浮力Ｆｂは、浮子４の水平面座標（ｘ、ｙ）における水圧を受ける部分の深さをＤ（ｍ）、排水の密度をＣ（ｋｇ／ｍ３）、とすると、
Ｆｂ＝９．８Ｃ∬Ｄｄｘｄｙ（Ｎ）  …式（１）
と表すことができる。
【００３２】
排水管３による吸引力Ｆｓは、排水口２よりも下にある排水の鉛直高さをＨ（ｍ）、排水の密度をＣ（ｋｇ／ｍ３）、排水口２の水平面積をＳ（ｍ２）とすると、
Ｆｓ＝９．８ＣＨＳ（Ｎ）  …式（２）
と表すことができる。即ち、Ｆｓは、排水口２よりも下にある排水の鉛直高さＨ（ｍ）と排水口２の水平面積Ｓ（ｍ２）の関数である。
【００３３】
浮子４に働く重力Ｆｇは、浮子４の質量をＷ（ｋｇ）とすると、
Ｆｇ＝９．８Ｗ（Ｎ）  …式（３）
と表すことができる。
【００３４】
従って、Ｆｂ＞Ｆｓ＋Ｆｇ（Ｎ）の関係を満たすように、浮子４の大きさ、排水口２の鉛直高さＨ（ｍ）、排水口２の水平面積Ｓ（ｍ２）、浮子４の材質を決定すれば、浮子４は排水管３への吸引力に抗して排水口２から離間する。
【００３５】
以上のような構成とすることにより、水溜部１の水位が低いときには、浮子４がサイフォンの原理により排水管３方向に生ずる強い吸引力によって吸引されて、浮子４が排水口２を塞ぐことにより、排水口へは水及び空気が入らない。一方、水位が高くなると、浮子に働く浮力が吸引力に抗して働き、浮子４は排水口２から離間するが、このときは、水溜部１の水位が高いことにより空気が排水口２へ流れ込む余地がないため、水のみが排水口２へ流れ込むことになる。このため、排水口２へ空気混じりの状態で水が流れ込むことがなく、排水口２から大きな音が発生することを防止することができる。
【００３６】
〔実施例２〕
図を用いて実施例２の排水構造を説明する。図２は、実施例２に係る排水構造の説明図である。ここで、実施例１と同様の構成については同符号を付して説明を省略する。
【００３７】
図２において、浮子４は、サイフォンの原理により排水管３方向に生ずる強い吸引力によって吸引される。このため、排水口２と浮子４とが硬質の材質である場合には、浮子４が排水口２を塞ぐ際に大きな衝突音が発生することがある。
【００３８】
そこで本実施例の排水構造においては、図２に示すように、実施例１の構成に加えて、排水口２の周辺部で浮子４の下部が当接する部分に浮子受５を配設した。尚、浮子受５は、水を通さない弾性部材により形成される。
【００３９】
すると、浮子４が排水口２を塞ぐ際に、浮子４は排水口２周辺部の浮子受５に当接することになる。このため、浮子受５の弾性により浮子４と排水口２との衝突音が大幅に緩和される。また、浮子受５は水を通さない部材によって構成されるため、浮子４が排水口２を塞ぐと水が排水口２に入り込むことはなく、水が空気混じりの状態で排水口２に流れ込むことがない。尚、浮子受５の材質は、水を通さず、かつ衝撃吸収作用があるものであればどのようなものでもよい。例えば、発泡ＥＰＤＭ又は発泡シリコンゴム等の発泡ゴムを使用することができる。
【００４０】
〔実施例３〕
図を用いて実施例３の排水構造を説明する。図３は、実施例３に係る排水構造の説明図である。ここで、前述の実施例と同様の構成については同符号を付して説明を省略する。
【００４１】
図３に示すように、本実施例の排水構造においては、浮子４が、水溜部１と排水管３とを連通するための通気管６を有する。また、通気管６の上端は、水溜部１の上部よりも高い位置にある。なお、ここで言う水溜部１の上部とは、排水の流出入のバランスで決まる水位の最高位であって、必ずしも形状的な特定の部位を指すものではない。よって、水溜部１の水が通気管６に入り込むことはない。
【００４２】
ここで、通気管６を付帯した時の有利な効果について説明する。実施例１において示したように、吸引力Ｆｓは、排水口２よりも下にある排水の鉛直高さＨ（ｍ）と排水口２の水平面積Ｓ（ｍ２）によって決まる。このため、前述の実施例においては、これらの設計事項に左右される吸引力Ｆｓに応じて、浮子４の大きさや重さ等の設計をする必要があった。
【００４３】
しかしながら、本実施例のように浮子４が通気管６を有する構成とすると、浮子４が排水口２を塞いだときに、通気管６から大気が排水管３内へ供給される。すると、排水口２の下部付近の負圧を大気圧にすることができるため、サイフォン作用による浮子４への吸引力を解消することができる。この結果、浮子４に浮力が働けば、容易に排水口２から離間することができるため、水溜部１を設置する位置等によって変わるサイフォン作用による吸引力の値を考慮して浮子４の大きさや重さを設計しなくともよい。
【００４４】
尚、通気管６の管径は、少なくとも排水管３よりも小さくする必要がある。通気管６の管径が排水管３の直径よりも大きいと、排水管３内への吸引力Ｆｓが働くための表面積を確保することができず、吸引力Ｆｓが働いても、浮子４を実際に吸引することができないからである。
【００４５】
図３に示すように、水溜部１上部には、異物混入防止のための目皿７が設置され、浮子４に配設された通気管６の上端は、目皿７の一部（ガイド部）において上下に平行移動可能に構成されている。即ち、ガイド部により左右方向への動きが規制されている。このような構成により、浮子４が下がると、確実に排水口２を塞ぐことができ、また浮子４に立設される通気管６の下端は排水管３と確実に連通する。従って、排水口２への排水流入を停止しつつ、通気管６は空気を排水管３内へ導入するという機能を発揮し、排水口２付近のサイフォン作用による吸引力を確実に解消することができる。
【００４６】
尚、本実施例においては、目皿７の一部をガイド部としたが、これに限るものではない。例えば、図４に示すように、水溜部１の側面又は底面に、円柱形の浮子４の周辺にガイド部として複数のガイド板８を配設し、浮子４を水平方向に移動させず、上下方向にのみ移動させるように構成してもよい。
【００４７】
〔実施例４〕
図を用いて実施例４の排水構造を説明する。図５は、実施例４に係る排水構造の説明図である。ここで、前述の実施例と同様の構成については同符号を付して説明を省略する。
【００４８】
図５に示すように、本実施例の排水構造においては、浮子４に配設された通気管６の上端に蓋９を設けている。また、排水管３の排水口２付近には棒状部材支持部11によって支持された棒状部材10が配設され、通気管６を貫通して下方から蓋９に当接している。ここで、棒状部材10は浮子４を上下方向にのみ平行移動可能にガイドするガイド部の役割も果たす。棒状部材10の長さは、浮子４が排水口２を塞いだときのみ蓋９に当接して蓋９を押し上げる程度の長さを有する。このため、浮子４が排水口２を塞ぐときには、棒状部材10が蓋９を押し上げて、通気管６の上端は開口する。また、浮子４が排水口２から離間するときには、棒状部材10が蓋９から離間するため蓋９が自重により下がり、通気管６の上端を閉口させる。次に、排水時の動作を具体的に説明する。
【００４９】
図５（ａ）に示すように、水が水溜部１に流入していない初期状態においては、浮子４は自重により排水口２を塞いでいる。この状態において、排水管３に付帯される棒状部材10は、通気管６を貫通してその上端が蓋９に当接することで、蓋９を開口させている。
【００５０】
図５（ｂ）に示すように、水が水溜部１に流入すると、水溜部１の水位に応じて浮子４には徐々に浮力が働き、排水口２から離間する方向に力が働くが、浮子４が排水口２から離間していない状態においては、まだ排水管３へは水が流入しない。
【００５１】
図５（ｃ）に示すように、水溜部１の水位が更に上昇し、浮子４に対して、浮子４の自重に勝るほどの浮力が働くと、浮子４は排水口２から離間する。このとき、同時に蓋９は自重により、通気管６の上端開口部を閉口するため、通気管６からは空気が入らない。このため、浮子４が排水口２から離間した部分から水が排水管３へ流れ込む一方、通気管６からは空気が流れ込まない。従って、水のみが排水口２へ流れ込むという状態をつくることができる。
【００５２】
図５（ｄ）及び（ｅ）に示すように、排水により水溜部１内の水位が下がると浮子４も下がり、浮子４が排水口２に近づくと、サイフォン作用による排水管３への吸引力により、浮子４は排水口２に引き付けられて排水口２を塞ぐ。このとき、棒状部材10が蓋９に当接することにより蓋９を押し上げて、通気管６の上端が開口する。この状態において、浮子４は排水口２を塞いでいるため、水は排水口２へ流れ込まない一方、通気管６は開口しているため、空気は排水口２へ流れ込む。このようにして、空気のみが排水口２へ流れ込むという状態をつくることができる。
【００５３】
図５（ｆ）に示すように、空気が通気管６から十分に入ると、排水口２の下部付近の負圧を大気圧にすることができるため、排水管３への吸引力は解消される。すると、水溜部１の水位が低い場合は再び図５（ｂ）の状態に戻り、水溜部１の水位が高い場合は再び図５（ｃ）の状態に戻り、これらの動作が繰り返される。
【００５４】
このように、浮子４が排水口２を塞ぐときには、通気管６を通じて排水管３へ空気のみが流れ込み、浮子４が排水口２から離間するときには、浮子４の下部から水のみが排水管３へ流れ込む。こうして、水又は空気のうちいずれか一方のみを選択的に排水口２へ流入させることができ、排水口２へ空気混じりの状態で水が流れ込むことを確実に防止することができる。このため、排水口２から大きな音が発生することを防止することができる。
【００５５】
更に、浮子４が排水口２から離間しているときには通気管６の上端が閉口する。従って、たとえ通気管６の管径が大きいものであったとしても通気管６内へ空気が流入しない。実施例３においては、通気管６を大きくしすぎると、通気管６から空気が多量に流入し、浮子４を十分に排水管３方向に吸引させられないこともあるため、通気管６の管径を調整する必要があった。しかし、本実施例は浮子４が排水口２を塞がない限りは、通気管６から空気が排水口２へ流入することがない。このため、即ち、浮子４は、排水管３への吸引力により確実に排水口２を塞ぐことができるため、通気管６の管径を自由に設計することができる。
【００５６】
尚、本実施例においては、蓋９と棒状部材10とを配設することにより、通気管６を開閉することとしたが、これに限るものではない。例えば、図６に示すように、浮子４が排水口２から離間したとき（図６（ｂ）参照）、通気管６の内部へ上方から嵌合するように構成された通気管６の内径と略同径の通気管を塞ぐための通気管閉塞部材12を配設し、該部材が浮子４が下端に来たときのみ（図６（ａ）参照）、通気管６との嵌合が外れる構成としてもよい。
【産業上の利用可能性】
【００５７】
本発明は、サイフォンの原理により排水が行われる排水構造一般に利用することができる。
【図面の簡単な説明】
【００５８】
【図１】実施例１に係る排水構造の説明図。
【図２】実施例２に係る排水構造の説明図。
【図３】実施例３に係る排水構造の説明図。
【図４】実施例３に係るガイド板８を使用した排水構造の説明図。
【図５】実施例４に係る排水構造の説明図。
【図６】他の実施例に係る排水構造の説明図。
【符号の説明】
【００５９】
１ …水溜部、２ …排水口、３ …排水管、４ …浮子、
５ …浮子受、６ …通気管、７ …目皿、８ …ガイド板、９ …蓋、
10 …棒状部材、11 …棒状部材支持部、
12 …通気管閉塞部材、13 …筒体
【図１】
2005264652.tif 000003
【図２】
2005264652.tif 000004
【図３】
2005264652.tif 000005
【図４】
2005264652.tif 000006
【図５】
2005264652.tif 000007
【図６】
2005264652.tif 000008